(57)【要約】【課題】車両１５の用途に合わせて最適な操作環境をユーザに提供することができるナビゲーション装置２０を提供する。【解決手段】本発明のナビゲーション装置２０は、車両１５の用途を示す用途情報に対応付けて、優先する検索方法に関する情報である優先検索情報を格納する検索情報格納部２１と、装着された記録媒体１４から用途情報を読み出し、読み出した用途情報に対応付けられている優先検索情報を検索情報格納部２１から抽出する検索情報抽出部２３と、抽出された優先検索情報に対応する検索方法を優先して表示装置２０１に表示させた後に、入力装置２００を介したユーザの操作に基づいて目的地点となる施設名を検索する施設検索部２５と、検索された施設を目的地点として、当該目的地点までの経路を探索する経路探索部２６と、探索された経路に基づいて経路誘導を行う経路誘導部２８とを備える。【選択図】図２
2011232310.tif 000002
【特許請求の範囲】
【請求項１】
車両に搭載されるナビゲーション装置であって、
前記車両の用途を示す用途情報に対応付けて、優先する検索方法に関する情報である優先検索情報を格納する検索情報格納部と、
装着された記録媒体から前記用途情報を読み出し、読み出した用途情報に対応付けられている優先検索情報を前記検索情報格納部から抽出する検索情報抽出部と、
前記検索情報抽出部によって抽出された優先検索情報に対応する検索方法を優先して表示装置に表示させた後に、入力装置を介したユーザの操作に基づいて目的地点となる施設名を検索する施設検索部と、
前記施設検索部によって検索された施設を目的地点として、当該目的地点までの経路を探索する経路探索部と、
前記経路探索部によって探索された経路に基づいて経路誘導を行う経路誘導部と
を備えることを特徴とするナビゲーション装置。
【請求項２】
請求項１に記載のナビゲーション装置であって、
前記検索情報格納部は、
前記用途情報に対応付けて、検索結果として表示される施設名の中で強調して表示する施設の属性を示す情報をさらに格納し、
前記検索情報抽出部は、
装着された記録媒体から読み出した用途情報に対応付けられている施設の属性を示す情報を前記検索情報格納部からさらに抽出し、
前記施設検索部は、
前記入力装置を介したユーザの操作に基づいて目的地点となる施設名を検索した結果の表示において、前記検索情報抽出部によって抽出された属性を有する施設の名称を強調表示することを特徴とするナビゲーション装置。
【請求項３】
請求項２に記載のナビゲーション装置であって、
前記検索情報格納部は、
前記車両の種別を示す車種情報に対応付けて、検索結果として表示される施設名の中で強調表示する施設の属性を示す情報をさらに格納し、
前記検索情報抽出部は、
装着された記録媒体から前記車種情報を読み出し、読み出した車種情報に対応付けられている施設の属性を示す情報を前記検索情報格納部からさらに抽出し、
前記施設検索部は、
前記入力装置を介したユーザの操作に基づいて目的地点となる施設名を検索した結果の表示において、前記検索情報抽出部によって抽出された属性を有する施設の名称をさらに強調表示することを特徴とするナビゲーション装置。
【請求項４】
請求項１から３のいずれか一項に記載のナビゲーションであって、
前記車両は、レンタカーであることを特徴とするナビゲーション装置。
【発明の詳細な説明】
【技術分野】
【０００１】
本発明は、車両に搭載されるナビゲーション装置に関する。
【背景技術】
【０００２】
下記の特許文献１には、ユーザから指定されたメニュー項目の優先度を上げることにより、ユーザの嗜好にあった順番でメニュー項目を表示させる技術が開示されている。
【先行技術文献】
【特許文献】
【０００３】
【特許文献１】特開２００４−２９５６９８号公報
【発明の概要】
【発明が解決しようとする課題】
【０００４】
ところで、近年のナビゲーション装置では、目的となる地点を検索する場合、施設の名称、電話番号、住所、ジャンル、緯度経度、地点を示すコードの入力など、さまざまな検索方法が存在する。しかし、その反面、目的の検索方法を実行するためには、ユーザは、ナビゲーション装置のメニューを操作して、目的の検索方法を実行可能な検索画面を多数の検索画面の中から探し出す必要がある。
【０００５】
近年のナビゲーション装置は、高度化・多機能化し、その操作も複雑化している。そのため、ナビゲーション装置を初めて操作するユーザは、そのナビゲーション装置の操作に慣れておらず、目的の検索方法を実行可能な検索画面を探し出すのに時間がかかる場合がある。特に、レンタカーに搭載されているナビゲーション装置を操作する場合、ユーザはそのナビゲーション装置を初めて利用する場合が多く、その問題は顕著になる。
【０００６】
本発明は上記事情を鑑みてなされたものであり、本発明の目的は、車両の用途に合わせて最適な操作環境をユーザに提供することにある。
【課題を解決するための手段】
【０００７】
上記課題を解決するために、本発明は、車両に搭載されるナビゲーション装置であって、
前記車両の用途を示す用途情報に対応付けて、優先する検索方法に関する情報である優先検索情報を格納する検索情報格納部と、
装着された記録媒体から前記用途情報を読み出し、読み出した用途情報に対応付けられている優先検索情報を前記検索情報格納部から抽出する検索情報抽出部と、
前記検索情報抽出部によって抽出された優先検索情報に対応する検索方法を優先して表示装置に表示させた後に、入力装置を介したユーザの操作に基づいて目的地点となる施設名を検索する施設検索部と、
前記施設検索部によって検索された施設を目的地点として、当該目的地点までの経路を探索する経路探索部と、
前記経路探索部によって探索された経路に基づいて経路誘導を行う経路誘導部と
を備えることを特徴とするナビゲーション装置を提供する。
【発明の効果】
【０００８】
本発明のナビゲーション装置によれば、車両の用途に合わせて最適な操作環境をユーザに提供することができる。
【図面の簡単な説明】
【０００９】
【図１】本発明の一実施形態に係るレンタカーシステム１０の構成を示すシステム構成図である。
【図２】ナビゲーション装置２０の詳細な機能構成の一例を示すブロック図である。
【図３】検索情報格納部２１に格納されるデータの構造の一例を示す図である。
【図４】施設情報格納部２４に格納されるデータの構造の一例を示す図である。
【図５】地図情報格納部２９に格納されるデータの構造の一例を示す図である。
【図６】検索方法の選択画面３０の一例を示す概念図である。
【図７】検索結果の表示画面３１の一例を示す概念図である。
【図８】ナビゲーション装置２０の動作の一例を示すフローチャートである。
【図９】ナビゲーション装置２０の機能を実現するコンピュータ４０の構成の一例を示すハードウェア構成図である。
【発明を実施するための形態】
【００１０】
以下、本発明の実施の形態について、図面を参照しながら説明する。
【００１１】
図１は、本発明の一実施形態に係るレンタカーシステム１０の構成を示すブロック図である。レンタカーシステム１０は、受付端末１１およびナビゲーション装置２０を備える。
【００１２】
ユーザ１３は、レンタカーの取扱店等において、レンタカーの用途や車種の情報を受付担当者１２に伝える。受付担当者１２は、用途や車種の情報を受付端末１１に入力する。受付端末１１は、例えば汎用のコンピュータであり、装着されたメモリカード等の記録媒体１４にデータを書き込む機能を有している。
【００１３】
受付端末１１は、受付担当者１２の操作に応じて、用途や車種の情報を記録媒体１４に書き込む。受付担当者１２によって用途や車種の情報が書き込まれた記録媒体１４は、レンタカーである車両１５に搭載されたナビゲーション装置２０に装着される。ナビゲーション装置２０は、装着された記録媒体１４から用途や車種の情報を起動時に読み出し、読み出したこれらの情報に応じて、施設の検索メニューの構成や検索結果の表示方法を設定する。
【００１４】
図２は、ナビゲーション装置２０の詳細な機能構成の一例を示すブロック図である。ナビゲーション装置２０は、検索情報格納部２１、インターフェイス（Ｉ／Ｆ）２２、検索情報抽出部２３、施設情報格納部２４、施設検索部２５、経路探索部２６、現在位置算出部２７、経路誘導部２８、および地図情報格納部２９を有する。
【００１５】
検索情報格納部２１には、例えば図３に示すように、車両１５の用途情報２１０および車種情報２１１の組合せ毎に、検索関連設定情報２１２が格納されている。検索関連設定情報２１２には、優先して表示すべき検索方法に関する情報を示す優先検索情報２１３、および、検索結果の中で強調して表示すべき施設の属性を示す強調属性情報２１４が含まれる。
【００１６】
なお、図３に示した例において、用途情報２１０の欄に格納されている「−」は、用途については何でもよいことを示しており、車種情報２１１の欄に格納されている「−」は、車種については何でもよいことを示しており、優先検索情報２１３の欄に格納されている「−」は、優先されるべき検索方法は特にない（デフォルトの順番で各検索方法を表示する）ことを示している。また、強調属性情報２１４の欄には、強調して表示すべき施設が特にない旨を示す「−」が格納されていてもよい。
【００１７】
施設情報格納部２４には、例えば図４に示すように、それぞれの施設を識別する施設名２４０に対応付けて、当該施設が位置する地図上の座標２４１、および、当該施設の属性を示す属性情報２４２等が格納されている。
【００１８】
地図情報格納部２９には、例えば図５に示すように、予め定められた地図領域であるメッシュ毎に、当該メッシュに含まれる道路を示すリンクに関する情報を含むメッシュデータ２９０が格納されている。それぞれのメッシュデータ２９０には、それぞれのメッシュを識別するメッシュＩＤ２９１およびメッシュ内のリンクに関するデータであるリンク情報２９２等が含まれる。
【００１９】
それぞれの２９２には、それぞれのリンクを識別するリンクＩＤ２９３、当該リンクの開始ノード座標２９４、当該リンクの終了ノード座標２９５、当該リンクの道路種別２９６、当該リンクのリンク長２９７、当該リンクの開始ノードに接続されている他のリンクの識別情報である開始接続リンク２９８、および、当該リンクの終了ノードに接続されている他のリンクの識別情報である終了接続リンク２９９等が格納されている。なお、地図情報格納部２９には、この他にも地図の画像や交差点の画像などのデータも格納されている。
【００２０】
図２に戻って説明を続ける。センサ２０３は、例えばＧＰＳ（Global Positioning System）受信機や方位センサ、距離センサ等であり、測地衛星から送信されたＧＰＳ信号や、車両の進行方位、車両の移動距離等を測定し、測定情報を現在位置算出部２７に供給する。
【００２１】
現在位置算出部２７は、センサ２０３から供給された測定情報および地図情報格納部２９に格納されたリンクデータに基づいて、ナビゲーション装置２０が搭載された車両１５が例えば所定距離（例えば１０ｍ）移動する毎に、例えばマップマッチング等により当該車両１５の現在位置を算出し、算出した車両の現在位置および進行方向を示す情報を経路探索部２６および経路誘導部２８に提供する。
【００２２】
インターフェイス２２は、例えば起動時に、ナビゲーション装置２０に装着された記録媒体１４内の情報を読み出して検索情報抽出部２３へ送る。検索情報抽出部２３は、インターフェイス２２を介して記録媒体１４から用途や車種を示す情報を読み出す。そして、検索情報抽出部２３は、記録媒体１４から読み出した情報に基づいて検索情報格納部２１を参照し、読み出した情報に対応付けられている検索関連設定情報２１２を検索情報格納部２１から抽出し、抽出した検索関連設定情報２１２を施設検索部２５へ送る。
【００２３】
なお、記録媒体１４から読み出した情報に対応付けられている検索関連設定情報２１２に、優先されるべき検索方法や強調して表示すべき施設の属性が特にない旨が含まれている場合、検索情報抽出部２３は、その旨を施設検索部２５へ送る。
【００２４】
施設検索部２５は、検索情報抽出部２３から受け取った検索関連設定情報の中に、優先されるべき検索方法は特にない旨が含まれている場合に、目的地点となる施設の検索方法を選択する画面において、例えば図６（ａ）に示すように、各検索方法をデフォルトの順番で表示する。
【００２５】
図６（ａ）に示した例では、検索方法を選択するための領域３００において、上から順に、「ジャンル検索」、「名称検索」、「地点コード入力」の検索方法を示すボタン３０１が表示されている。タッチパネルやリモコン等の入力装置２００を用いていずれかのボタン３０１を選択することにより、対応する検索方法の入力画面が表示される。また、タッチパネルやリモコン等を用いてスライダ３０２やボタン３０３を操作することにより、その他の検索方法を示すボタン３０１が領域３００に表示される。
【００２６】
また、施設検索部２５は、検索情報抽出部２３から受け取った検索関連設定情報の中に、優先されるべき検索方法として電話番号検索が含まれている場合に、目的地点となる施設の検索方法を選択する画面において、例えば図６（ｂ）に示すように、電話番号検索を示すボタン３０１を領域３００内で一番上に表示することにより、電話番号検索を優先して表示する。
【００２７】
また、施設検索部２５は、検索情報抽出部２３から受け取った検索関連設定情報の中に、優先されるべき検索方法として住所検索が含まれている場合に、目的地点となる施設の検索方法を選択する画面において、例えば図６（ｃ）に示すように、住所検索を示すボタン３０１を領域３００内で一番上に表示することにより、住所検索を優先して表示する。
【００２８】
ところで、レンタカーをビジネスで利用する場合、訪問先の位置を電話番号で検索する場合が多い。このような利用場面において、例えば図６（ａ）に示すようなデフォルトの検索方法選択画面が表示された場合、ユーザは、電話番号検索を指定するためのボタンをナビゲーション装置２０に表示させるために行うべき操作を調べる必要がある。
【００２９】
また、レンタカーを引越で利用する場合、引越先の位置を住所で検索する場合が多い。このような利用場面において、例えば図６（ａ）に示すようなデフォルトの検索方法選択画面が表示された場合、ユーザは、住所検索を指定するためのボタンをナビゲーション装置２０に表示させるために行うべき操作を調べる必要がある。
【００３０】
近年のナビゲーション装置２０は、高度化・複雑化しており、ナビゲーション装置２０の操作マニュアルの記載量も膨大になっている。また、ナビゲーション装置２０の製造メーカ間でマニュアルの構成や機能の呼び名も異なる場合が多く、ナビゲーション装置２０を使うたびに操作方法を調べることは、ユーザにとって大きな負担となる。
【００３１】
これに対して、本実施形態のナビゲーション装置２０は、ユーザの用途に応じて、最適な検索インターフェイスを優先して表示することができ、ユーザにより使いやすい環境を提供することができ、ユーザの負担を軽減することができる。
【００３２】
また、施設検索部２５は、図６に示した検索方法の選択画面において、いずれかの検索方法の選択をユーザから受け付け、ユーザの操作に応じて、受け付けた検索方法を用いて施設の検索を行う。そして、施設検索部２５は、検索結果を表示装置２０１に表示する場合に、検索情報抽出部２３から受け取った検索関連設定情報に含まれている強調属性情報に該当する施設を検索結果の中で特定する。そして、施設検索部２５は、特定した施設の名称に、その属性を示すアイコンを付加して表示することにより、強調属性情報に該当する施設を、検索結果の中で強調して表示する。
【００３３】
例えば、検索情報抽出部２３から受け取った検索関連設定情報に含まれている強調属性情報に、障害者用トイレのある施設が含まれている場合、施設検索部２５は、例えば、図７（ａ）に示すように、検索結果の中で、該当する施設名称３１０に、障害者用トイレのある施設であることを示すアイコン３１１を付加して表示する。
【００３４】
また、検索情報抽出部２３から受け取った検索関連設定情報に含まれている強調属性に、飲食施設が含まれている場合、施設検索部２５は、例えば、図７（ａ）に示すように、検索結果の中で、該当する施設名称３１０に、飲食施設であることを示すアイコン３１２を付加して表示する。
【００３５】
また、検索情報抽出部２３から受け取った検索関連設定情報に含まれている強調属性に、観光スポットが含まれている場合、施設検索部２５は、例えば、図７（ｂ）に示すように、検索結果の中で、該当する施設名称３１０に、観光スポットであることを示すアイコン３１３を付加して表示する。
【００３６】
また、検索情報抽出部２３から受け取った検索関連設定情報に含まれている強調属性に、推奨観光ルートが含まれている場合、施設検索部２５は、例えば、図７（ｂ）に示すように、検索結果の中で、該当する名称に、推奨観光ルートであることを示すアイコン３１４を付加して表示する。なお、推奨観光ルートとは、例えば、複数の観光スポットについて、所要時間や休息時刻などの観点で、推奨される通過順番を規定する経路を示す。
【００３７】
また、検索情報抽出部２３から受け取った検索関連設定情報に含まれている強調属性に、ショッピングセンタが含まれている場合、施設検索部２５は、例えば、図７（ｃ）に示すように、検索結果の中で、該当する施設名称３１０に、ショッピングセンタであることを示すアイコン３１５を付加して表示する。
【００３８】
そして、入力装置２００を介してユーザによって、検索結果の中の施設名称が選択された場合、施設検索部２５は、選択された施設名称に対応する座標を施設情報格納部２４から取得し、取得した座標を目的地点の座標として経路探索部２６へ送る。
【００３９】
経路探索部２６は、施設検索部２５から座標を示す情報を受け取った場合に、当該座標を目的地点の座標とし、例えば現在位置算出部２７によって算出された現在位置を出発地点として、地図情報格納部２９内のリンクデータを参照して、例えばダイクストラ法等のアルゴリズムを用いて、出発地点から目的地点までの経路を１つ以上探索し、探索結果を表示装置２０１に表示する。
【００４０】
そして、経路探索部２６は、入力装置２００を介してユーザから、探索された経路のいずれかを指定する情報を受け付けた場合に、ユーザによって指定された経路を誘導経路として経路誘導部２８へ送る。なお、経路探索部２６は、ユーザから指定された地点を出発地点として経路探索を実行してもよい。
【００４１】
経路誘導部２８は、経路探索部２６から誘導経路を示す情報を受け取った場合に、地図情報格納部２９に格納されている、車両１５の現在位置付近の地図を示す画像データを取得し、取得した画像データで示される地図上に車両１５の現在位置を示すカーマークを重畳させた画像を作成し、作成した画像を表示装置２０１に表示することにより、経路誘導を行う。
【００４２】
そして、経路誘導部２８は、現在位置算出部２７によって算出された車両１５の現在位置および地図情報格納部２９に格納されているリンクデータを参照して、誘導経路上において、車両１５の前方所定距離以内に、進行方向を指示すべき案内地点が存在する場合に、当該案内地点に関する画像を地図情報格納部２９から読み出して表示装置２０１に表示すると共に、誘導を示す音声をスピーカ２０２を介して再生することにより、進むべき方向を案内する。
【００４３】
図８は、ナビゲーション装置２０の動作の一例を示すフローチャートである。用途または車種の少なくともいずれか一方の情報が記録された記録媒体１４が装着された上で、起動することにより、ナビゲーション装置２０は、本フローチャートに示す動作を開始する。
【００４４】
まず、インターフェイス２２は、記録媒体１４内の情報を読み出して検索情報抽出部２３へ送る。検索情報抽出部２３は、インターフェイス２２を介して記録媒体１４から用途や車種を示す情報を取得する（Ｓ１００）。そして、検索情報抽出部２３は、記録媒体１４から読み出した情報に基づいて検索情報格納部２１を参照し、読み出した情報に対応付けられている検索関連設定情報２１２を検索情報格納部２１から抽出し（Ｓ１０１）、抽出した検索関連設定情報２１２を施設検索部２５へ送る。
【００４５】
次に、施設検索部２５は、検索情報抽出部２３から受け取った検索関連設定情報の中に、優先されるべき検索方法が含まれているか否かを判定する（Ｓ１０２）。検索情報抽出部２３から受け取った検索関連設定情報の中に、優先されるべき検索方法が含まれていない場合（Ｓ１０２：Ｎｏ）、施設検索部２５は、目的地点となる施設の検索方法を選択する画面において、例えば図６（ａ）に示すように、各検索方法をデフォルトの順番で表示し（Ｓ１０３）、ステップＳ１０５に示す処理を実行する。
【００４６】
一方、検索情報抽出部２３から受け取った検索関連設定情報の中に、優先されるべき検索方法が含まれている場合（Ｓ１０２：Ｙｅｓ）、施設検索部２５は、例えば図６（ｂ）または（ｃ）を用いて説明したように、当該検索方法を指定するボタンを、検索方法を選択する画面の一番上に表示するなどにより、優先して表示する（Ｓ１０３）。
【００４７】
次に、施設検索部２５は、入力装置２００を介して、いずれかの検索方法の選択をユーザから受け付けたか否かを判定する（Ｓ１０５）。いずれかの検索方法の選択をユーザから受け付けた場合（Ｓ１０５：Ｙｅｓ）、施設検索部２５は、ユーザの操作に応じて、受け付けた検索方法を用いて施設の検索を行う（Ｓ１０６）。
【００４８】
次に、施設検索部２５は、検索結果を表示装置２０１に表示する場合に、検索情報抽出部２３から受け取った検索関連設定情報に含まれている強調属性情報に該当する施設を検索結果の中で特定する。そして、施設検索部２５は、特定した施設の名称に、その属性を示すアイコンを付加して表示する（Ｓ１０７）。
【００４９】
次に、施設検索部２５は、入力装置２００を介してユーザによって、検索結果の中の施設名称が目的地点として選択されたか否かを判定する（Ｓ１０８）。検索結果の中の施設名称が目的地点として選択された場合（Ｓ１０８：Ｙｅｓ）、施設検索部２５は、選択された施設名称に対応する座標を施設情報格納部２４から取得し、取得した座標を目的地点の座標として経路探索部２６へ送る。
【００５０】
次に、経路探索部２６は、施設検索部２５から受け取った座標を目的地点の座標として、例えば現在位置算出部２７によって算出された現在位置を出発地点から当該目的地点までの経路を１つ以上探索し、探索結果を表示装置２０１に表示する（Ｓ１０９）。
【００５１】
次に、経路探索部２６は、入力装置２００を介してユーザから、探索された経路のいずれかを指定する情報を受け付けたか否かを判定する（Ｓ１１０）。探索された経路のいずれかを指定する情報を受け付けた場合（Ｓ１１０：Ｙｅｓ）、経路探索部２６は、ユーザによって指定された経路を誘導経路として経路誘導部２８へ送る。
【００５２】
次に、経路誘導部２８は、経路探索部２６から受け取った誘導経路に基づいて経路誘導を行う（Ｓ１１１）。そして、車両１５の現在位置と目的地点との距離が所定距離以内となった場合や、目的地点を変更する指示を受け付けた場合、施設検索部２５は、再びステップＳ１０２に示した処理を実行する。
【００５３】
図９は、ナビゲーション装置２０の機能を実現するコンピュータ４０の構成の一例を示すハードウェア構成図である。コンピュータ４０は、ＣＰＵ（Central Processing Unit）４１、ＲＡＭ（Random Access Memory）４２、ＲＯＭ（Read Only Memory）４３、ＨＤＤ（Hard Disk Drive）４４、入力インターフェイス（Ｉ／Ｆ）４５、出力インターフェイス（Ｉ／Ｆ）４６、およびメディアインターフェイス（Ｉ／Ｆ）４７を備える。
【００５４】
ＣＰＵ４１は、ＲＯＭ４３またはＨＤＤ４４に格納されたプログラムに基づいて動作し、各部の制御を行う。ＲＯＭ４３は、コンピュータ４０の起動時にＣＰＵ４１によって実行されるブートプログラムや、コンピュータ４０のハードウェアに依存するプログラム等を格納する。
【００５５】
ＨＤＤ４４は、ＣＰＵ４１によって実行されるプログラムおよび当該プログラムによって使用されるデータ等を格納する。ＣＰＵ４１は、入力インターフェイス４５を介して、入力装置２００やセンサ２０３を制御し、入力インターフェイス４５を介して入力装置２００やセンサ２０３からデータを取得する。ＣＰＵ４１は、出力インターフェイス４６を介して、表示装置２０１やスピーカ２０２を制御し、生成したデータを出力インターフェイス４６を介して表示装置２０１やスピーカ２０２へ出力する。
【００５６】
メディアインターフェイス４７は、記録媒体４８に格納されているプログラムを読み取り、ＲＡＭ４２を介してＣＰＵ４１に提供する。ＣＰＵ４１は、記録媒体４８から読み取ったプログラムデータを、メディアインターフェイス４７を介して記録媒体４８からＲＡＭ４２上にロードし、ロードしたプログラムを実行する。記録媒体４８は、例えばＤＶＤ、ＰＤ（Phase change rewritable Disk）等の光学記録媒体、ＭＯ（Magneto-Optical disk）等の光磁気記録媒体、テープ媒体、磁気記録媒体、または半導体メモリ等である。
【００５７】
コンピュータ４０のＣＰＵ４１は、ＲＡＭ４２上にロードされたプログラムを実行することにより、検索情報格納部２１、インターフェイス２２、検索情報抽出部２３、施設情報格納部２４、施設検索部２５、経路探索部２６、現在位置算出部２７、経路誘導部２８、および地図情報格納部２９の各機能を実現する。ＨＤＤ４４には、例えば、検索情報格納部２１、施設情報格納部２４、および地図情報格納部２９内のデータが格納される。
【００５８】
ＣＰＵ４１は、これらのプログラムを、記録媒体４８から読み取って実行するが、他の例として、他の装置から、無線または有線通信により、これらのプログラムを取得してもよい。
【００５９】
以上、本発明の実施の形態について説明した。
【００６０】
上記説明から明らかなように、本実施形態のナビゲーション装置２０によれば、車両１５の用途に合わせて最適な操作環境をユーザに提供することができる。
【００６１】
なお、本発明は、上記した実施形態に限定されるものではなく、その要旨の範囲内で数々の変形が可能である。
【００６２】
例えば、上記した実施形態において、記録媒体１４はメモリカードであったが、本発明はこれに限られず、記録媒体１４は、ＵＳＢ（Universal Serial Bus）、ＣＤ−ＲＯＭ、ＤＶＤ−ＲＯＭ等であってもよい。また、受付担当者１２は、ユーザ１３から聞き取った用途や必要な車種の情報に基づいて、予め情報が記録されている記録媒体１４を選択してナビゲーション装置２０に装着するようにしてもよい。この場合、記録媒体１４は、例えば所定のバーコードが印字されたカードやＩＣカード等であってもよい。
【００６３】
また、上記した実施形態では、記録媒体１４内に用途または車種の少なくともいずれか一方が記録されたが、本発明はこれに限られない。受付担当者１２は、レンタカーの受け付け時に、ユーザ１３から目的地点の詳細や経路の探索条件（一般道優先、有料道路優先、距離優先、など）など、ナビゲーション装置２０の設定に関する情報を聞き取り、記録媒体１４にその情報を記録してナビゲーション装置２０に装着するようにし、ナビゲーション装置２０は、記録媒体１４から読み出した情報で、初期設定を変更するようにしてもよい。これにより、ユーザ１３にとってさらに使いやすいナビゲーション装置２０を提供することができる。
【００６４】
また、上記した実施形態では、ユーザの用途またはレンタカーの車種に応じて、所定の属性を有する施設の名称にアイコンを付加することにより、検索結果の中で所定の属性を有する施設の名称を強調表示したが、本発明はこれに限られず、アイコンを付加する以外に、施設の名称を点滅させたり、他の属性の施設の名称とは異なる色や輝度で表示する等により、所定の属性を有する施設の名称を強調表示するようにしてもよい。
【符号の説明】
【００６５】
１０・・・レンタカーシステム、１１・・・受付端末、１２・・・受付担当者、１３・・・ユーザ、１４・・・記録媒体、１５・・・車両、２０・・・ナビゲーション装置、２１・・・検索情報格納部、２２・・・インターフェイス、２３・・・検索情報抽出部、２４・・・施設情報格納部、２５・・・施設検索部、２６・・・経路探索部、２７・・・現在位置算出部、２８・・・経路誘導部、２９・・・地図情報格納部、４０・・・コンピュータ、４１・・・ＣＰＵ、４２・・・ＲＡＭ、４３・・・ＲＯＭ、４４・・・ＨＤＤ、４５・・・入力インターフェイス、４６・・・出力インターフェイス、４７・・・メディアインターフェイス、４８・・・記録媒体
【図１】
2011232310.tif 000003
【図２】
2011232310.tif 000004
【図３】
2011232310.tif 000005
【図４】
2011232310.tif 000006
【図５】
2011232310.tif 000007
【図６】
2011232310.tif 000008
【図７】
2011232310.tif 000009
【図８】
2011232310.tif 000010
【図９】
2011232310.tif 000011